(57)【要約】【課題】サージカルガイドの製作を容易にし、インプラント手術の費用の低廉化と治療時間の短縮化を図ることができるサージカルガイドを提案する。【解決手段】  歯科用ＣＴによって撮影可能な第１網状体３１を上面側に、同様の第２の網状体３２を下面側に設けたガイドブロック３０と、天然歯の欠損部を含む口内部所に合わせて形成したマウスピース３３とからなるガイド基体３５を設け、前記ガイド基体３５を欠損した歯領域３６を含む口内部所に嵌め合わせてＣＴ撮影し、前記した上面側と下面側の網状体３１、３２の線状交点から前記人工歯根の埋設方向と位置を定めた後、前記ガイド基体３５を口内から取り出し、前記網状体３１、３２の線状交点によって定めた人工歯根の埋設方向と位置にしたがってドリルをガイドするガイド孔を形成したサージカルガイドとなっている。【選択図】図１０
2010142537.tif 000002
【特許請求の範囲】
【請求項１】
口内の顎骨にドリルにより穴形成して人工歯根を埋設し、埋設した人工歯根に人工歯を取り付けるインプラント手術用のサージカルガイドにおいて、
Ｘ線によって撮影可能な網状体を上下面部に設けたガイドブロックを設け、天然歯の欠損部を含む口内部所に合わせて形成したマウスピースに前記ガイドブロックを固着して形成したガイド基体を設け、
前記ガイド基体を口内部所に嵌め合わせてＸ線撮影し、前記した上下側の網状体の線状交点から前記人工歯根の埋設方向と位置を定めた後、前記ガイド基体を口内から取り出し、前記網状体の線状交点によって定めた人工歯根の埋設方向と位置にしたがってドリルをガイドするガイド孔を形成して構成したことを特徴とするサージカルガイド。
【請求項２】
請求項１に記載したサージカルガイドにおいて、
前記ガイドブロックは、欠損歯部所に合わせて形成した透明性の合成樹脂材からなり、ガターパーチャーポイントなどの細線によって形成した第１の網状体を上側に、同様に形成した第２の網状体を下側に埋設した構成であることを特徴とするサージカルガイド。  
【請求項３】
請求項１又は２に記載したサージカルガイドにおいて、
前記マウスピースは、歯型から形成した石膏模型に合わせて形成した透明性の合成樹脂材からなることを特徴とするサージカルガイド。
【請求項４】
請求項１に記載したサージカルガイドにおいて、
Ｘ線撮影において、上側の網状体の多数の線状交点から線状交点Ａを、下側の多数の線状交点から線状交点Ｂを定めて記録または記憶し、この記録または記憶にしたがって前記ガイド基体に前記ガイド孔を形成することを特徴とするサージカルガイド。
【請求項５】
請求項１に記載したサージカルガイドにおいて、
Ｘ線撮影は、Ｘ線を使用した三次元画像を作り出す断層撮影装置を持ち得ることを特徴とするサージカルガイド。
【発明の詳細な説明】
【技術分野】
【０００１】
本発明は、欠損した歯の跡に人工の造形歯を設けるためのインプラント手術用のサージカルガイドに関する。
【背景技術】
【０００２】
欠損した歯の跡に人工歯根を埋め込み、この人工歯根に人工歯を装着して造形歯を設けるインプライト手術が普及している。
このインプライト手術は、図１４に示したように、欠損した歯の跡の顎骨１１に人工歯根１２を埋設し、この人工歯根１２に連結部材１３を介して人工歯１４を取り付ける手術が行われる。
【０００３】
具体的には、インプラントは、図１５に示す通り、人工歯根（フィクスチャー）１２、連結部材（アバットメント）１３、人工歯（上部構造）１４の各部品から構成されている。
人工歯根１２と連結部材１３はチタン材で形成されたものが多く、人工歯根１２にはネジ山形成され、顎骨１１にネジ込んで埋設させる。
【０００４】
連結部材１３は、人工歯根１２の連結孔１２ａに嵌合すると共に、内孔１３ａ
より差し入れた小ネジ１５を人工歯根１２のネジ孔１２ｂにネジ込み人工歯根１２に固定させる。
人工歯１４は、セラミック材などから形成してあり、連結部材１３にネジ止めし或いは接着材で固着する。
【０００５】
インプラント手術では、人工歯根１２の埋設処理が極めて重要となる。
すなわち、ドリルを使って口内の顎骨１１に細長い穴を予め形成し、この穴に人工歯根１２をネジ込んで固定させるため、ドリルによる穴形成方向と穴の深さを厳格に定めなければならない。
しかしながら、顎骨や歯根の形態、神経位置、血管などは人それぞれによって異なるために、ドリルによる穴形成時に歯根、神経、血管などを傷付けてしまうおそれがあり、これによって重大な医療事故となることがある。
【０００６】
そのために、インプラント手術に際しては、歯科用ＣＴ（Ｃｏｍｐｕｔｅｄ  Ｔｏｍｏｇｒａｐｈｙ）などを駆使し、顎骨や歯根の立体的な形態や神経、血管の位置把握などの精密検査を行い、ドリルによる穴形成方向と位置を充分に把握した上で穴形成手術を施す高度な技術が必要になっている。
【０００７】
そこで、ドリルによる穴形成の安全性を高める一方、インプラント手術を少しでも簡単化するために、図１６に一例として示したサージカルガイド１６が既に提案されている。
なお、サージカルガイドは、インプラント手術においてドリル挿入方向や深さを規定するためのガイドである。
【０００８】
このサージカルガイド１６は、患者の歯形模型より合成樹脂材によってマウスピース１７を作成する。
そして、歯科用ＣＴを使って患者の口内を撮影し、歯列データ、顎骨データ、欠損歯跡のデータなどの多くの３次元データを求め、このデータより人工歯根１２を埋設する方向と位置とを特定し、この埋設方向と位置に対応するマウスピース１７の部所にドリルの進行方向を誘導するガイド孔１８を形成したサージカルガイド１６となっている。
【０００９】
図１７は、上記したサージカルガイド１６を使用してドリル１９によって顎骨１１に穴開けする状態を示す。
なお、図示する例では、歯肉２０を剥離してインプラント手術をする一例を示したが、歯肉２０を剥離しないで手術することも可能となっている。
【００１０】
【特許文献１】特開２００７−２７５５５６
【発明の開示】
【発明が解決しようとする課題】
【００１１】
上記したインプラント手術は、手術費用が高く、治療時間も長くなる。
これは歯科用ＣＴなどの設備が必要となる他に、手術に高度な技術が要請されるためであり、また、上記したようなサージカルガイド１６は、歯科医院では製作が困難であり、専門会社に外注して製作することになるために、手術費用（例えば、３０〜４０万円）が高く、治療時間（例えば、２〜３ヶ月）が長くなる。
そこで、本発明では、手術費用の低廉化に適し、かつ、治療時間の短縮化に有利なインプラント手術用のサージカルガイドを提供することを目的とする。
【課題を解決するための手段】
【００１２】
上記した目的を達成するため、本発明は、口内の顎骨にドリルにより穴形成して人工歯根を埋設し、埋設した人工歯根に人工歯を取り付けるインプラント手術用のサージカルガイドにおいて、Ｘ線によって撮影可能な網状体を上下面部に設けたガイドブロックを設け、天然歯の欠損部を含む口内部所に合わせて形成したマウスピースに前記ガイドブロックを固着して形成したガイド基体を設け、前記ガイド基体を口内部所に嵌め合わせてＸ線撮影し、前記した上下側の網状体の線状交点から前記人工歯根の埋設方向と位置を定めた後、前記ガイド基体を口内から取り出し、前記網状体の線状交点によって定めた人工歯根の埋設方向と位置にしたがってドリルをガイドするガイド孔を形成して構成したことを特徴とするサージカルガイドを提案する。
【００１３】
上記したサージカルガイドのガイドブロックは、欠損歯部所に合わせて形成した透明性の合成樹脂材からなるブロックの上側に、ガターパーチャポイントなどの細線によって形成した第１の網状体を埋設し、前記ブロックの下側に、上記同様に形成した第２の網状体を埋設して構成することができる。
【００１４】
上記したサージカルガイドのマウスピースは、歯型から形成した石膏模型に合わせて形成した透明性の合成樹脂材によって構成することができる。
【００１５】
上記したサージカルガイドは、Ｘ線撮影において、上側の網状体の多数の線状交点から線状交点Ａを、下側の多数の線状交点から線状交点Ｂを定めて記録または記憶し、この記録または記憶にしたがって前記ガイド基体に前記ガイド穴を形成する構成とすることができる。
【００１６】
上記したサージカルガイドは、Ｘ線を使用した三次元画像を作りだす断層撮影装置と前記網状体とを使用して、人工歯根を埋設する方向と位置とを検出し、この検出にもとづいて前記ガイド基体にドリルのガイド孔を形成する構成とすることができる。
【発明の効果】
【００１７】
本発明に係わるサージカルガイドは、欠損歯部を含む口内部所に合わせてセットし、そのガイド孔によって誘導してドリルを進行させて顎骨に穴開けをすれば、人工歯根を埋設する精密な位置と方向にしたがって顎骨に穴開けすることができる。
【００１８】
したがって、顎骨に形成したドリル穴に人工歯根を埋設し、この人工歯根に連結部材を介して人工歯を取り付けることによって、天然歯に代用させる造形歯を設けることができる。
【００１９】
一方、本発明のサージカルガイドは、網状体を設けたガイドブロックをマウスピースに固着したガイド基体を設け、このガイド基体にドリルのガイド孔を形成した構成となっているので、インプラント手術の費用の低廉化と治療時間の短縮化に極めて有利となる。
具体的には、人工歯根を埋設する顎骨の穴開けは、上記のサージカルガイドを使用して行うことで、高度な技術を要しないから、インプラント手術が簡単化される。
【００２０】
その上、本発明のサージカルガイドは、専門会社に外注する必要がなく、歯科医師が製作することができる。
つまり、ガイドブロックは、高価とならないので予め用意しておくことができ、また、マウスピースの製作は歯科医師の専門とするところであるから、容易に製作することができる。
したがって、ガイド基体を簡単に製作することができる。
また、Ｘ線立体撮影装置（例えば、歯科用ＣＴ）を駆使できる歯科医師であれば、ガイド基体に形成するガイド孔の位置と方向とを定めることができる。
このことから、サージカルガイドが歯科医師によって、安価に、短時間に製作することができる。
【００２１】
以上から分かるように、インプラント手術に高度の技術を要しないこと、また、サージカルガイドが歯科医師によって簡単に製作することが可能であることなどから、インプラント手術の費用の低廉化と治療時間の短縮化に有利となる。
【発明を実施するための最良の形態】
【００２２】
次に、本発明の一実施形態について図面に沿って説明する。
図１は、ガイドブロック３０の斜視図であり、図２は、同ガイドブロック３０の横断面図である。
これらの図面に示すように、このガイドブロック３０は、欠損した歯領域部分に合わせて形成した透明または半透明の合成樹脂材からなる立方体形状のものとしてある。
なお、このガイドブロック３０は、円形断面、多角形断面などのものとしても形成することができる。
【００２３】
また、このガイドブロック３０は、上面側に第１の網状体３１を設け、下面側に第２の網状体３２が設けてある。
これら第１、第２の網状体３１、３２は、Ｘ線立体撮影装置である歯科用ＣＴによって撮影可能な細線を交差させて固定し、多数の交点を設けたものとなっている。
したがって、金属線は反射して撮影困難なものとなるから、第１、第２の網状体３１、３２としては、金属線以外のＣＴ撮影可能な細線で形成することが好ましく、例えば、テンポラリーストッピング、ガターパーチャポイント、ビタペックスなどのようなＣＴ撮影可能な材料からなる細線を網状に形成したものとしてある。
特に、上記したテンポラリーストッピングは仮封材として、また、ガターパーチャポイント、ビタペックスは根充材として歯科医が用意している材料であるので、上記した網状体を製作する上に好都合な材料となる。
【００２４】
なお、第１の網状体３１は合成樹脂材からなる立方体内の上位置に埋設し、第２の網状体３２はその立方体の下位置に埋設させてもよい。
また、上記したガイドブロック３０については、透明または半透明の長形の合成樹脂材に網状体を埋設した長形物を予め用意しておき、サージカルガイドの作成時に必要な大きさのガイドブロックに切断するようにすることもできる。
【００２５】
図３は、マウスピース３３の製作例を示す。
図示するように、インプラント手術を行う患者の歯形模型３４を使って透明または半透明の合成樹脂材からなるマウスピース３３を製作する。
上記の歯形模型３４は、周知の通り石膏模型として構成することができる。
製作の一例を述べれば、具体的には、透明または半透明の合成樹脂板を歯形模型３４の歯上に載せた状態で適当な温度で加熱すると共に、歯形模型３４の下方から吸引力を加え、その後、歯形模型３４から取り外し図４、図５に示すマウスピース３３を形成する。
【００２６】
また、上記のようにマウスピース３３を製作するに際しては、歯損相当部所３４ａに適当な仮ブロック３８を配置しておき、この部所に空間を形成して上記ガイドブロック３０の取り付け領域を設ける。
なお、図４は、上記のようにして製作したマウスピース３３の平面図、図５は、同マウスピース３３の横断面図である。
【００２７】
図６は、ガイドブロック３０をマウスピース３３に固着して構成したガイド基体３５を示す断面図、図７は同ガイド基体３５の平面図である。
なお、ガイドブロック３０は接着材を用い、欠損歯領域に相当するマウスピース３３の部所に固着してある。
【００２８】
このように構成したガイド基体３５は、図８に示すように、欠損した歯領域３６を含む患者の口内にセット（設置）する。
この状態で、歯科用ＣＴを使って口内を撮影し、顎骨や歯根の立体的な状態、神経、血管の位置などを精密に検査し、これら歯根や神経、血管に影響を与えないようにして人工歯根１２を埋設する方向と位置を定める。
【００２９】
歯科用ＣＴは、合成樹脂材からなるガイドブロック３０やマウスピース３３は写し出されなく、第１、第２の網状体３１、３２と、顎骨１１や天然歯２１などの骨類とが写し出されるから、第１、第２の網状体３１、３２と骨類とを観察して人工歯根１２を埋設する方向と位置を定める。
【００３０】
歯科用ＣＴは、立体的な撮影が可能であるから、欠損した歯領域の正面、側面、平面、底面の撮影画面を見ることができる。
したがって、図８に示したように、欠損した歯領域３６にＸ線、Ｙ線を描き、骨類や神経位置に影響しない最も適当な人工歯根１２の埋設方向と位置を探し、探索した埋設方向と位置とを第１、第２の網状体３１、３２の線状交点を利用して記録する。
【００３１】
例えば、人工歯根１２を埋設する最も適当な方向と位置について、図９の説明図に示したＸ線、Ｙ線のように、歯科ＣＴにより描くことができれば、第１の網状体３１については、線状交点Ｌ１２、Ｄ１４（線状交点Ａ）を記録（または、記憶）し、第２の網状体３２については、線状交点Ｌ２３、Ｄ２５（線上交点Ｂ）を記録（または、記憶）する。
【００３２】
続いて、ガイド基体３５を口内なら取り出し、図１０に示すように、このガイド基体３５にガイド孔３５ａを設けてサージカルガイド３７を形成する。
すなわち、第１、第２網状体３１、３２はガイドブロック３０とマウスピース３３を透してそれらの上方から見えるから、ガイド孔３５ａは、記録または記憶した第１、第２の網状体３１、３２の線状交点Ｌ１２、Ｄ１４とＬ２３、Ｄ２５とをマウスピース３３の上方から見ながら、それらの線状交点Ａ、Ｂに向かってドリルを進めて孔形成する。
なお、ガイド孔３５ａの孔径については、ドリルの太さを変えて形成することにより定める。
さらに、ガイドブロック３０には、図９に示した第１、第２網状体３１、３２の縦線位置の文字（Ｌ１１、Ｌ１２・・・、Ｌ２１、Ｌ２２・・・）や横線位置の文字（・・・Ｄ１３、Ｄ１４・・・、・・・Ｄ２３、Ｄ２４・・・）については、必ずしも設けることを要しない。
【００３３】
上記のようにして製作したサージカルガイド３７は、図１１に示すように、患者の口内に再びセットし、サージカルガイド３７のガイド孔３５ａから挿入したドリルによって顎骨１１に人工歯根１２の埋設穴１１ａを形成する。
このようにして顎骨１１に穴開けした後は、従来例同様に、顎骨１１の埋設穴１１ａ内に人工歯根１２を埋設し、図１２に示す通り、人工歯根１２に連結した連結部材１３を介して人工歯１４を取り付け、天然歯に代用させる造形歯を作成する。
なお、埋設穴１１ａの深さは、歯科ＣＴの撮影時に測定することができるから、その測定値にしたがってドリルをガイドする。
【００３４】
以上、上記実施形態では、欠損した歯領域とその近傍の天然歯部分をカバーする部分的なマウスピース３３として形成したが、欠損した歯領域を含む全天然歯部分をカバーするマウスピースを形成し、このマウスピースにガイド孔３９ａを形成し図１３に示すようなサージカルガイド３９を製作することもできる。
また、上記した実施形態では、歯肉２０を剥離しないでインプラント手術する一例について説明したが、欠損した歯領域を含む口内部所の歯肉２０を剥離して人工歯根１２の埋設手術を行うこともできる。
さらに、上記した実施形態では２ピースのインプラントについて説明したが、人工歯根１２と連結部材１３とが一体となった１ピースのインプラントを使用しても同様に実施することができる。
【産業上の利用可能性】
【００３５】
歯科インプラント手術用のサージカルガイドとして適用する。
【図面の簡単な説明】
【００３６】
【図１】サージカルガイドを構成するガイドブロックの拡大斜視図である。
【図２】上記したガイドブロックの横断面図である。
【図３】サージカルガイドを構成するマウスピースの構成例を示した簡略的な断面図である。
【図４】上記したマウスピースの平面図である。
【図５】上記したマウスピースの断面図である。
【図６】上記したガイドブロックをマウスピースに固着して構成したガイド基体を示した断面図である。
【図７】上記したガイド基体の平面図である。
【図８】上記したガイド基体を口内にセットして歯科用ＣＴによって撮影し、人工歯根の埋設方向と位置とを検出する状態を示した簡略的な断面図である。
【図９】人工歯根の埋設方向と位置を示すガイドブロックに設けた網状体の線状交点を表した説明図である。
【図１０】一実施形態と示したサージカルガイドの簡略的な断面図である。
【図１１】口内にセットした上記のサージカルガイドによってドリルを誘導して人工歯根の埋設穴を形成した状態を示した簡略的な断面図である。
【図１２】人工歯根を埋設して人工歯を取り付けた状態を示した簡略的な断面図である。
【図１３】他の実施形態と示したサージカルガイドの簡略的な斜視図である。
【図１４】インプラント手術によって設けた造形歯を示す簡略的な断面図である。
【図１５】インプラントを分解して示した拡大断面図である。
【図１６】従来例として示したサージカルガイドの斜視図である。
【図１７】ドリルをサージカルガイドのガイド孔で誘導して人工歯根の埋設穴を形成する状態を簡略して示した拡大断面図である。
【符号の説明】
【００３７】
１１  顎骨
１２  人工歯根
１３  連結部材
１４  人工歯
３０  ガイドブロック
３１  第１の網状体
３２  第２の網状体
３３  マウスピース
３５  ガイド基体
３７  サージカルガイド
【図１】
2010142537.tif 000003
【図２】
2010142537.tif 000004
【図３】
2010142537.tif 000005
【図４】
2010142537.tif 000006
【図５】
2010142537.tif 000007
【図６】
2010142537.tif 000008
【図７】
2010142537.tif 000009
【図８】
2010142537.tif 000010
【図９】
2010142537.tif 000011
【図１０】
2010142537.tif 000012
【図１１】
2010142537.tif 000013
【図１２】
2010142537.tif 000014
【図１３】
2010142537.tif 000015
【図１４】
2010142537.tif 000016
【図１５】
2010142537.tif 000017
【図１６】
2010142537.tif 000018
【図１７】
2010142537.tif 000019